(57)【要約】【課題】色彩が人体に与える影響は大きく、視覚によって受ける色が精神的、健康状態に様々な影響を及ぼす事の指摘も為されているが、従来の住宅設備などに用いられる素材には実用性を伴い、日々の手入れが簡素との形で提供されているものは現在において存在しない。【解決手段】住宅設備等で用いられる室内外のガラスやプラスティックなどの透光性のある素材、木板やパネルなどの透光性のない素材に対し、光の三原色で示されるような加法混色をもたらす、自然の光のように色を重ねるのではなく、混ぜ合わすことで明るくなる色彩を提供する彩色技術を開発し、落ちつきのある色彩が自然光、人工光と組み合わされることで鑑賞性を高め、尚且つその素材の実用性をも高めることができる色彩装飾具を提供する。【選択図】図１
2004076193.tif 000002
【特許請求の範囲】
【請求項１】
平板の上に乗せた紙又は布の両面に高温のニカワを塗り、塗られた紙又は布を毛氈に乗せ、顔料を高温状態のニカワで溶いた着色材を筆に含ませ、その筆を網の表面を滑らせることにより、上記毛氈の上に乗せた紙又は布に着色材を飛ばし、紙又は布に彩色を施すことを特徴とする着色方法。
【請求項２】
請求項１記載の着色方法により彩色した紙又は布の片面又は両面に透明フィルムを接着し、それをガラス、プラスティックなどの透光性のある素材に積層したことを特徴とする色彩装飾具。
【請求項３】
請求項１記載の着色方法により彩色を施した紙又は布の片面又は両面に透明フィルムを接着し、それを、木板、パネルなどの基材に積層したことを特徴とする色彩装飾具。
【発明の詳細な説明】
【０００１】
【発明の属する技術分野】
本発明は、主として室内外のガラスやプラスティックなどの透光性のある素材、木板やパネルなどの透光性のない素材に対し、自然光、人工光と組み合わされた落ちつきのある色彩を与えることで鑑賞性を高め、尚且つその素材の実用性をも高めることができる色彩装飾具に関するものである。
【従来の技術】
【０００２】
日本では古来から写経などの様々な用途の必要性から、楮（こうぞ）、三椏（みつまた）、雁皮（がんび）など天然素材から漉いた、所謂和紙が作られていた。その後時代の変化の中から、ただ漉いただけの白い紙だけでなく、平安時代には容器の水面に濃墨をたらし軽くかき回し、紙を浮かべ引き上げると文様が紙に移る「墨流し」という技法も用いられるようになり、江戸時代には、墨の代わりに藍・紅色を用いたものも出て水に流れる色墨が形作る自然な芸術性、鑑賞性の高い色彩を施す技法が生まれた。
【０００３】
しかし、近代に至っては機械生産制の導入から、紙に対する彩色技術においても機械による人工的なデザイン・図柄や着色が普及し、前述したような手作業による芸術性、鑑賞性の高い自然な彩色を施した紙（特に和紙）は儀礼的、趣味的な特殊で高価なものとして理解され、一般的には大きく普及しなくなった。
【０００４】
その後、芸術性、鑑賞性を高めた彩色技術の発展は、芸術家等が様々な紙や布、塗料、道具を用いて発展されてきており、その中でも「抽象表現主義」と呼ばれた時代にＪａｃｋｓｏｎ　Ｐｏｌｌｏｃｋ（１９１２−５６）によって、これまでイーゼル等にキャンバスを立てて筆の運筆によって絵画を作成するとの常識を覆し、キャンバスを床において、その上に塗料を”ドリップ（したたらせる）”することで作品を作り上げる、”ドリッピング”と呼ばれる人工的な動きではない、自然の運動法則を活かした動きを加える技法が開発された。
【考案が解決しようとする課題】
【０００５】
色彩が人体に与える影響は大きく、視覚によって受ける色が精神的、健康状態に様々な影響を及ぼすことが見直されており、　特に育児等においては、その生活環境に多くの色彩を提供することが、子供の成長過程において非常に重要な意味を持つとの指摘も為されている。
【０００６】
それらの事から、多くの色彩が含まれた装飾を日常生活に使用するものに提供することが望まれるが、人工的、また機械的に多くの色彩を混ぜ彩色を施すと、色の三原色で示されるように減法混色となり、重ねれば重ねるほど暗い色になってしまう。一般的にも暗い色というのはマイナス的な印象が強く、人の精神や健康状態に良い影響を与える色彩とは言えない。
【０００７】
上記のような従来用いられてきた彩色技術の中で”ドリッピング”のような手法は、彩色技法としては自然の動きを利用した画期的な技法と言えるが、したたらすだけでは色が重なるだけで多くの色を全面に用いればやはり暗く沈んだ色になってしまう。
【０００８】
その為、それらの課題を克服し、光の三原色で示されるような加法混色をもたらす、自然の光のように色を重ねるのではなく、混ぜ合わすことで明るくなる色彩を提供する彩色技術の開発が必要とされる。
【０００９】
また、従来の住宅設備などに用いられるガラス、プラスティックなどに代表される透光性のある素材は、生活環境の装飾としては非常に鑑賞性が乏しいのが実状である。
【００１０】
ガラス素材は透明色が基本であり、色つきのものとしては白いすりガラスぐらいで、プラスチック素材等では色付きのものはあるが、単色で多くの色が含まれたものはない。
【００１１】
尚、経験上理解されやすいように、それら透光性の高い装具を用いた窓等では日除けや外部からの目隠しの為にカーテンやブラインドをカーテンレール、止め具等を用いて吊り下げるのが主であり、昼間でも完全に内外の透光を遮断してしまう為、自然光を取り入れることが出来ず部屋が薄暗くなり、また夜間では外の暗さがそのままガラス、プラスティックを通して黒色の装具となってしまい、一日中暗く怖い印象を受ける事が多い。
【００１２】
更に、カーテンやブラインドに発生しやすいホコリやダニの影響が、部屋の空気が悪くなる原因を作り出す事も問題点として指摘されている。
【００１３】
それらのことから「特開平１１‐２８０３５８号公報」に提案されているようなガラス窓用目隠し紙や「特開平１１‐１１６９１８号公報」、「特開平０９‐２３４８４４号公報」に提案されているような専用の粘着シートを貼り付けることで目隠しを行なうなども一部では行なわれているが、人が精神的や健康的に良い影響を受ける明るい色彩を提供出来ていない。
【００１４】
また従来の住宅設備に用いられる木板、パネル、ベニア、クロスなどの基材は、木板、パネル、支那ベニアは見た目の高級感はあるが色彩は少なく、クロスなどで市販されているものでは、上記に述べたように人工的ないし機械的な彩色技術により作られた単色に近い色彩であり、多くの色を提供する場合は同様に暗い色となる。
【００１５】
そのような現状の中で、より自然で落ちつきのある雰囲気を求め、茶室など和風建築に合うように白地の和紙をクロスの代わり貼り付けたものや、色彩や色合いを重視し特殊な光源により発光する「実開昭６２‐７０１８９号公報」や「特開平０８‐２９１４９８号公報」で提案されたようなものなどがあるが、同様に人により良い影響を与える明るい色彩を提供するには至っていない。
【００１６】
また、芸術家などが描いた絵画等がパネルとして提供されており、その中には鑑賞性の高い芸術作品は多数あるが、廊下などに長く飾ってあるものはホコリがたまり、また油絵などはひび割れが生じたりと、日々の手入れが非常に大変であり、素人はとても行なう事が出来ず、簡単に手に入れることが出来ないものである。
【００１７】
よって、自然な温もりと奥行きのある明るい雰囲気を醸す色彩を日々の生活環境の中に求める気運が高まりつつあることが伺われるが、日々の生活空間に密着しているものと組み合わせる事が出来て、尚且つ日々の手入れが簡素等の実用性を伴う形で提供されているものは現在において存在しない。
【００１８】
この発明は、上記課題である多くの色を含めた明るい彩色を施す技術を開発し、その自然な温もりのある明るい雰囲気を醸す色彩を従来の住宅設備などに用いられる素材に、様々な実用性を付加しつつ組み合わせることが可能な色彩装飾具として提供するものである。
【課題を解決するための手段】
【００１９】
上記目的を達成する請求項１に記載の彩色方法（以下、本発明１という）は、平板の上に乗せた紙又は布の両面に高温のニカワを塗り、塗られた紙又は布を毛氈に乗せ、顔料を高温状態のニカワで溶いた着色材を筆に含ませ、その筆を網の表面を滑らせることにより、上記毛氈の上に乗せた紙又は布に着色材を飛ばし、紙又は布に彩色を施すことを特徴とする。
【００２０】
また請求項２に記載の色彩装飾具（以下、本発明２という）は、　本発明１の着色方法により彩色した紙又は布の片面又は両面に透明フィルムを接着し、それをガラス、プラスティックなどの透光性のある素材に積層したことを特徴とする。
【００２１】
更にまた請求項３に記載の色彩装飾具（以下、本発明３という）は、　本発明１の着色方法により彩色を施した紙又は布の片面又は両面に透明フィルムを接着し、それを、木板、パネルなどの基材に積層したことを特徴とする。
【００２２】
以下、更に詳説していくと、本発明１は、人工的、また機械的に色を重ね合わせるのではなく、多くの色が自然に動き、混ざり合う事を特徴とする彩色技術である。
【００２３】
まず、本発明１でニカワと呼んでいるのは、ニカワを水に溶かしたニカワ液のことであり、高温のニカワ液とは、そのニカワ液を加熱し、４５度程度まで液温を高めたもののことである。そのニカワ液を紙又は布の両面に平板の上で塗り、塗り終わった紙又は布を毛氈の上に乗せる。また、本発明１で用いる着色材は、必要な色の数だけ顔料を高温状態のニカワ液で溶いたもので準備をしておく。その事により彩色する着色材の流動性を高め、自然に着色材の色が流れ、混ざり合う色彩を創り出す。
【００２４】
次に、最初に着色する色彩の着色材を筆につけ、網の目に筆を上から下に滑らせ粒状に飛ばし、それを何色も繰り返し彩色を行なう。この際に用いる筆は、大きさと堅さの違うものを何種類か用意しておき、完成のイメージに沿って使い分けることが望ましい。
【００２５】
この本発明１の彩色手法は自然の運動法則を活用したものであり、空中に飛ばした塗料は表面張力により球体状となり、繰り返し施す事で、筆などでは描けない紋様を創り出すことが出来、時間が経つ毎に粒状に紙又は布に飛ばした着色材が毛氈の繊維に沿って流れ、混ざり合いながら流れるような色彩を自然と創り出すことが出来る。
【００２６】
紙又は布に塗布したニカワ液が乾燥すると色彩が流れなくなる為、その様々に織り交ざった色彩がある一定の形まで流れた段階で、天日に近い形で素早くニカワ液と着色材を乾燥させると、その色彩が流れ過ぎず鮮明に浮かび上がらせることが出来る。
【００２７】
色彩を施した紙又は布を複数枚重ねた場合でも色彩が重なり混ざり合う事から、紙又は布を二重や三重に重ねる事で更なる色彩の奥行きを出す事も可能である。
【００２８】
尚、ここで用いる紙は、繊維同士が糊でくっついて紙化している洋紙等ではなく、水素結合により繊維同士が電気的な結合により自然に絡み合ってより自然に色彩が流れる和紙であることが望ましい。
【００２９】
また、本発明２は、本発明１記載の着色方法により着色された紙又は布を、ガラス、プラスティックなどが代表される透光性のある素材に接着した色彩装飾具である（図１参照）。
【００３０】
どの素材へ接着するかによって具体的な接着技法は変化する為、下記「発明実施の形態」に詳説するが、いずれの場合でも接着に使用する糊は、透光性のある素材に強力に接着出来て、乾燥後は透明になるものである必要がある。
【００３１】
尚、最終的な目的である色彩装飾具として提供する際に、湿気などの水分の影響、カビなどの菌の影響からの保護、更に紫外線吸収剤等を塗料（顔料等）やフィルムに混ぜ、ＵＶカット効果を高め紫外線の影響をより強く防ぐため、本発明１の着色方法により着色を施した紙を透明フィルムによりラミネート加工を施す必要がある。
【００３２】
元来、カード等を挟んだフィルムを熱により圧着させることで接着するラミネート技術はあるが、それを大きな紙で用いる場合、専用の大きな機械が必要なため多大なコストがかかる。
【００３３】
そこでビニル共重合樹脂を主成分とする糊を紙にむらなく塗り、刷毛などで撫でて空気を抜きながらフィルムを密着させ、接着し乾燥させる。用途により両面にフィルムを接着する場合は、その乾燥後、紙をなるべく濡らさないように同様の糊をフィルム側に塗り、紙の裏面に空気を抜きながらフィルムを密着させ、接着させる等のラミネート施工方法を行なう。
【００３４】
ここで用いる糊と水の配合は、紙側に塗る際は３倍に水で薄め、フィルム側に塗る際は２倍に水で薄めたものを使う事が望ましい。
【００３５】
更に本発明３は、本発明１の着色方法により着色された紙又は布を、木板、パネルなどの基材に積層した色彩装飾具である。
【００３６】
それぞれの素材への具体的な接着技法は何に接着させるかによって変る為、下記「発明実施の形態」で詳説するものとするが、いずれの場合でも上記本発明２の手段で述べたフィルムのラミネート加工は表面だけ行ない、裏面には、軸装等の裏打ち用の白紙を張る。そのことで、色彩を鮮明に発揮させ、基材との接着性も向上させることが出来る（図２参照）。
【００３７】
そこで澱粉糊を裏打ち用の白紙にむらなく塗り、刷毛などで撫でて空気を抜きながら基材に密着させ、接着し乾燥させる。その後、本発明１の着色方法により着色を行なった紙又は布に上記本発明２と同様にフィルムにより片面だけラミネート加工を施した紙の裏面に澱粉糊を塗り、空気を抜きながら裏打ち用の白紙に密着させ、接着させる。
【発明の実施の形態】
【００３８】
以下、実際の実施例に基づいて、図を交えながらこの発明について説明する。まず、本発明１の具体例を説明する。
【００３９】
図１に示したのは、本発明１の着色方法の簡略図である。２（網）に上から下に着色材を含ませた１（筆）を滑らせると、３（毛氈）の上に乗せられた４（紙又は布）の上に５（着色材）が粒状に飛び、４（紙又は布）に付着した着色材は、６（紙又は布上で流れる色彩）のように流れる色彩となった。この着色方法により、人工的でなく自然に毛氈や紙又は布の繊維に沿って流れる色彩を施すことが出来た。
【００４０】
この時、３（毛氈）に乗せる前に、平板等の上で４（紙又は布）の両面にはニカワ液（水でニカワを溶いたもの）を高温状態（４５度程度まで液温を加熱した状態）にして塗布しておく必要があった。
【００４１】
その後、本発明１で着色を行なう必要な色の数だけ顔料を高温状態のニカワ液で溶いたもので準備をしておき、次々に違う色の５（着色材）を１（筆）につけ、２（網）に滑らせ粒状に飛ばし、それを繰り返し彩色を行った。この際に用いる筆は、大きさと堅さの違うものを何種類か用意しておき、作成する作品のイメージに沿って使い分けた。
【００４２】
例えば、紅色を大サイズの柔らかい筆で飛ばした後は、山吹色を中サイズの堅い筆で飛ばし、その後は白を小サイズの堅い筆で飛ばすなど、思い描く色彩のイメージで筆のサイズや堅さを変えることにより、様々な色彩の表現が行えた。紙又は布全面に着色されないで残っている部分が無いように着色を行なった。
【００４３】
この本発明１の彩色手法は自然の運動法則を活用したものであり、空中に飛ばした塗料は表面張力により球体状となり、繰り返し施す事で、筆などでは描けない色彩の紋様を創り出すことが出来、時間が経つ毎に粒状に紙又は布に飛ばした着色材が毛氈の繊維に沿って流れ、混ざり合いながら流れる色彩を自然と創り出すことが出来た。
【００４４】
４（紙又は布）に塗布したニカワ液が乾燥すると色彩が流れなくなる為、色彩がある一定の形まで流れた段階で、天日に近い形で素早くニカワ液と６（紙又は布上で流れる色彩）を乾燥させると、その段階で色彩の流れを止め、鮮明に浮かび上がらせることが出来た。
【００４５】
別々に色彩を施した紙又は布を複数枚重ねても色彩が流れ混ざり合う事から、本発明１の着色方法を施した紙又は布の乾燥後、水を噴霧器等でかけて紙又は布を濡らし、二重や三重に重ねる事で更なる色彩の奥行きを出す事も可能である。この場合は、紙又は布の繊維に沿って色彩が流れ、違う紙又は布同士の色彩が混ざり合い、色彩の奥行きが表現された。
【００４６】
次に本発明２の具体例を窓ガラスに取りつけた場合、照明器具に取りつけた場合、障子に取りつけた場合として説明する。
【００４７】
窓ガラスに取りつける場合とは、本発明２の色彩装飾具を、窓ガラスの部屋内側に取りつける具体的な施工方法である（図２及び図４参照）。窓ガラスの枠やガラス自体は既存の設備のままで取りつける事が可能であり、コストが大変安く、効率的であった。
【００４８】
取付けに際しては、窓ガラス枠、ガラス、窓ガラス枠とガラスの間に取りつけるゴム部材等に付着したホコリやカビ等を洗浄した上で施工した。
【００４９】
またここで、窓ガラスに色彩装飾具を張り付けた段階で、まず水ぶきなどの掃除を行なう際にフィルムの内側に水分が浸透しないよう、フィルム面とガラス面の境目に油性ウレタン塗料を塗り防水効果を高め、更に油性ウレタンの乾燥後、ガラスの縁でフィルムとガラスを押さえるように粘着テープを張り、後々に湿気やカビの菌等も中に入り込まず、衛生的に使用出来るよう施工した。
【００５０】
尚、粘着テープは外観に影響が出ないように、透明のもので窓ガラス枠とガラスの間に取り付けるゴム部材に隠れる程度の幅で取り付け、ガラスに凹凸があり色彩装飾具とガラスの密着度が少ない場合は、その粘着テープの上から更に油性ウレタン塗料を塗った。
【００５１】
また更に、お風呂や台所等の水がかかり易い部分であれば、より水分の影響を受けないように、一般にコーキング材と呼ばれるものでゴム部材を覆ってしまうよう施工した。この時、ガラスに取りつけた色彩を活かすように、コーキング材の色も窓ガラス枠の色に近いものを選んだ。
【００５２】
一般的に窓ガラスは太陽光が室内に入りやすい部分に取りつけてある為、紫外線による室内の焼けを防ぐ為にも、紫外線吸収剤等を塗料（顔料など）やフィルムに混ぜ、ＵＶカット効果を高めた。
【００５３】
また、今回は紫外線吸収剤等を混ぜたフィルムをガラス面の外側にも取り付ける事で、よりＵＶカット効果を高めたが、ガラス面の形状により外側に取り付ける事が困難であれば、ガラス内側のガラスとフィルムでラミネートを施した紙の間に、もう一枚フィルムを取り付ける方法でも良いと思われる。
【００５４】
尚、これら窓ガラスへの取付けに際してフィルムとガラスを接着する際には、種々の糊を用いる事が考えられるが、乾燥した後透明化する糊である事、フィルムとガラスを強力に接着する事等の条件を満たす糊を選択する必要があり、度重なる発明者の実験の結果から、今回は粘着ボンドを用いた。
【００５５】
次に、窓ガラスと同様に本発明２の具体例として、照明器具に用いる場合を説明する。照明器具に用いる場合とは、照明器具の発光体を覆う笠の部分に本発明２の色彩装飾具を取りつける事である。
【００５６】
この場合、透過光を更に明るくする方法と色彩を伴った光を出す方法のいずれかを選択する。その選択によって取り付け方が変るが、照明器具自体は既存の設備のままで殆どが取り付け可能である為、コストが大変安く、経済的であった。
【００５７】
まず透過光を更に明るくする方法を選択する場合、本発明１の着色方法で彩色した紙にフィルムでラミネート加工を施し、その状態で笠に取り付ける（図２及び図５参照）。
【００５８】
ここで、あまり急激な曲面に対して張り付けるとラミネート加工のフィルムがしわになる為、取り付けることの出来る程度の曲面の笠かを見極める必要がある。
【００５９】
色彩を伴った光を出す方法を選択する場合は、ラミネート加工を施すフィルムは片面だけとし、フィルムを取り付けた面を外側になるように笠に取り付ける（図６参照）。
【００６０】
尚、フィルムは片面だけであるが、あまり急激な曲面に対して張り付けるとフィルムがしわになる為、取り付けることの出来る程度の曲面の笠かを見極める必要があるのは同様である。
【００６１】
実用的な見地から見て、透過光を更に明るくするか、色彩を伴ったムードのある光にするかの選択は、照明器具の設置場所や使われ方から選択をするべきであり、またどちらの場合も水ぶきなどの掃除を行なう際にフィルムの内側に水分が浸透しないよう色彩装飾具の端に油性ウレタン塗料を塗る事で防水効果を高め、更に室内の使用使用する色彩も合わせて検討し施工を行なった。
【００６２】
また、発明者の実験結果から照明器具に取り付ける際は、ビニル共重合樹脂を主成分とした糊を原液の状態で使う事が望ましいとされるが、作業場所の湿度や温度によって糊の乾燥が速すぎる場合などに限り、最大２倍まで薄める必要がある。
【００６３】
また更に、窓ガラス、照明器具と同様に本発明２の具体例として、障子に用いた場合を説明する。障子に用いた場合とは、ガラス障子はそのガラスに、障子紙が張られた障子はその木枠に直接、本発明２の色彩装飾具を取り付ける事である。
【００６４】
ガラス障子のガラスに取りつける場合は、本発明２の色彩装飾具を部屋内側に取りつける事となる（図２及び図７参照）。この場合、窓ガラスに取りつける場合と同様にフィルムとガラスを接着する際に、種々の糊を用いる事が考えられるが、乾燥した後透明化する糊である事、フィルムとガラスを強力に接着する事等の条件を満たす糊を選択する必要があり、度重なる発明者の実験から粘着ボンドを用いる事が望ましいとされるため、今回はそのように施工した。
【００６５】
また、障子紙が張られた障子の場合は、本発明２の色彩装飾具を、その木枠の部屋内側に取りつける事である（図２及び図８参照）。同様に、フィルムを木枠に接着するために種々の糊を用いる事が考えられるが、フィルムと木枠を強力に接着する事等の条件を満たす糊を選択する必要があり、度重なる発明者の実験からビニル共重合樹脂を主成分とした糊を原液の状態で使う事が望ましいが、作業場所の湿度や温度によって糊の乾燥が速すぎる場合などに限り最大２倍まで薄めて使うこととした。
【００６６】
尚、障子紙が張られた障子の場合は、木枠にフィルムを接着した後、障子の四隅を鉤型に切った透明なアクリル板とビス等によって押さえておくと、より頑丈に接着された。
【００６７】
尚、障子等ではフィルムを用いると紙の風合いが無くなるという要望がある場合は、フィルムによるラミネート加工を用いず、油性ウレタンを吹き付け塗装の要領で両面に吹き付け、防水加工を施す事も出来た。発明者の実験により、その場合木枠に取り付ける糊は、ビニル共重合樹脂を主成分とした糊ではなく、酢酸ビニル樹脂エマルジョン木材接着剤を原液で用いる方が良いとされているため、今回もそのように施工した。
【００６８】
ガラス障子の場合も障子紙の場合も、水ぶきなどの掃除を行なう際にフィルムの内側に水分が浸透しないよう、フィルム面とガラス面の境目に油性ウレタン塗料を塗った為、防水効果が高まり非常に実用的であった。また木枠やガラス等は既存の設備のままで取りつける事が可能である為、コストが大変安く効率的であった。
【００６９】
次に、本発明３の具体例をふすまに取りつけた場合、パネルに取りつけた場合として説明する。
【００７０】
ふすまに用いる場合とは、本発明３の色彩装飾具を、ふすまの片面、または両面に取りつける事である（図３及び図９参照）。
【００７１】
この場合、ふすまの下地に本発明３の色彩装飾具を片面、ないし両面張りつけ、戸縁を両面テープで取りつけるのであるが、既存のふすまでは大枠の桟が組んであるだけの為、色彩装飾具を全面に張りつける下地が無く、本発明３の色彩装飾具が真っ直ぐ張れず、でこぼこになってしまう等の影響を受けてしまう為、ふすまの寸法等に合わせてベニアを下地として取りつけた後、施工する必要があった。
【００７２】
尚、先に述べたように、発明者の度重なる実験の結果、パネル、木材等の基材に接着する際は、フィルムによるラミネート加工は表面だけで良く、紙の裏面には裏打ち用の白紙を張ることで、本発明１の着色方法による彩色を鮮明に発揮させ、基材との接着性も向上させることが出来た。
【００７３】
この場合は、紙をふすまの下地に接着するために種々の糊を用いる事が考えられるが、紙とふすまの下地を強力に接着する事等の条件を満たす糊を選択する必要がある。そこで発明者の実験によると澱粉糊を用いることが望ましいとの結論が出ており、そのように施工した。
【００７４】
次に、ふすまと同様に本発明３の具体例として、パネルに取りつける場合を説明する。パネルに取り付ける場合とは、本発明１の着色方法を用いた鑑賞用の絵画を色彩装飾具として作成する事である（図３及び図１０参照）。
【００７５】
まず、作品の寸法に合わせてパネルの下地を作成し、その表面に本発明１の着色方法を用いて作成した作品を張り付け、裏面に澱粉糊を用いてクロスを張り付けた。
【００７６】
この場合，作品として色彩の奥行きを出す為に、本発明１の着色方法で彩色を施した紙を二重や三重にする事も作品によっては考えられたため、今回は二重に重ねて作品を完成させた。
【００７７】
尚、先に述べたように、発明者の度重なる実験の結果、パネル、木材等の基材に接着する際は、フィルムによるラミネート加工は表面だけで良く、紙の裏面には裏打ち用の白紙を張ることで、本発明１の着色方法による彩色を鮮明に発揮させ、基材との接着性も向上させることが出来る。
【００７８】
この場合は、紙をパネルに接着するために種々の糊を用いる事が考えられるが、紙とパネルを強力に接着する事等の条件を満たす糊を選択する必要があった。その為、発明者が研究によると澱粉糊を用いることが望ましいため、そのように施工を行なった。
【００７９】
また、発明者の意図として鑑賞用の絵画として作成する場合は、そのパネルを納める額においても一つの作品として捕らえる為、作品の色彩に合わせた額を作成する事が望ましいため、そのように作品を完成させた。
【発明の効果】
【００８０】
以上の手法により、本発明１、２，３が実現可能となる。その具体的な効果について、以下詳説する。
【００８１】
まず、本発明１の具体的な効果について述べる。
【００８２】
上記課題を解消する為の従来の筆による彩色技法や機械を用いた印刷による問題点は、色を事前に重ね混ぜ合わせたものを準備し着色することで、色の三原色で示されるような減法混色となり、重ねれば重ねるほど暗い色になってしまう点である。
【００８３】
そのため、多くの色彩が含まれた装飾を望んでも、色彩を増やせば増やすほどマイナス的な印象を与える暗い色しか表現出来なかった。
【００８４】
その中で、”ドリッピング”のような手法は、色彩の完成がキャンバス上で為されるという画期的な手法であったが、それでも色をしたたらすだけでは色が重なるだけで、混ざり合わず、色彩の表現も制限され、多くの色彩を全面に用いた場合、結局暗い色の表現になってしまう。
【００８５】
そこで本発明１の着色方法は、その技法に更なる改良を加え、色彩の完成を自然の流れに任せ、着色材が自由に自然に流れるままに動き、その事で自然な色彩をキャンバスの上で完成させる事の出来る着色方法である。
【００８６】
また、色彩の表現としても奥が深く、人工的に色を混ぜ合わせた場合はどれだけの色を混ぜても１色にしかならないが、本発明１の着色方法であれば、多数の色がそれぞれ自然に自由に動き混ざり合い、使用した色の数を遥かに越える色彩を表現する。
【００８７】
更に、キャンバスの上で自然に混ざり合いながら動く色彩は、多くの色を用いても毛氈や紙又は布の繊維に沿って動き、一箇所に固まることが無い為、単純な減法混色にならず、暗い色にならないという特徴を持つ。
【００８８】
そのことから、本発明１は上記課題を解消する、光の三原色が示す加法混色の如く、多くの色彩を持ち尚且つ明るい色彩を作成出来る効果を持つ着色方法である。
【００８９】
次に、本発明２の具体例である窓ガラスの場合の具体的な効果について述べる。
【００９０】
通常窓ガラスであれば、採光等の用途が主であり、透明なガラスを用いるのが普通で、脱衣所等の特別な用途の場合にのみ、すりガラス等が用いられる。その為、本来採光の用途で透明なガラスが用いられているのに、外部からの視線の遮断の為にカーテンやブラインドで覆い隠す為、その用途が果たせず、普段使わない部屋は特に暗く、陰湿なイメージになりやすい。
【００９１】
しかし、本発明を使用する事により、光を透過しつつ、外部からの視線を遮断し、尚且つ自然な色彩に富んだ装飾をもたらす事で、部屋をより明るく快適に使用する事が出来る。
【００９２】
また、昨今は特に子供等のアレルギーの原因として心配される、ダニやカビ、ホコリが発生し易いのは、カーテン、ブラインドが主とされており、日々の掃除を含むお手入れが必須であるが、カーテンを取り除いて洗濯したり、ブラインドを一枚一枚掃除するのは大変な労力がかかっていた。しかし、本発明により、カーテンやブラインドが不要となり、また本発明は請求項２により、塗れ雑巾等で拭き掃除をするだけで清潔に使用する事が出来る。
【００９３】
更に、本発明で和紙を用いた場合、和紙は古来よりホコリ等を吸着する性質からは、室内の空気を清潔に保ち、更に温度の伝達を遮断する性質からは、結露を防ぎ、夏は涼しく冬は温かく室温を保ち、また紫外線をカットする性質も持ち、紫外線吸収剤を含む塗料やフィルムを用いた場合は、よりその効果が高まり、室内に有害な光が入る事を遮断し、部屋を清潔に、また快適に守る実用性を持つ。
【００９４】
また更に、ガラス全面に本発明２の色彩装飾具による加工がされる為、万一ガラスが割れても、ガラスが飛び散らず、非常に安全に使用する事が出来る。
【００９５】
窓ガラス自体は、光を通す透光性を持ち、朝はやわらかな朝日の日差しを包む色彩、昼はまぶしい太陽の光を包む色彩、夜はおぼろげな月の光と室内の光を反射する色彩を提供し、いつまでも飽きない、時間によって変る色彩に包まれた光が一日中室内を明るく照らす効果がある。
【００９６】
次に、本発明２の具体例である照明器具の場合の具体的な効果について述べる。
【００９７】
本来、照明器具の笠の部分は、見た目の形やデザインの面白さを主に考案されており、照明効果を高めたり、目にやさしい光を提供するのは発光体（電球）の部分でと考えられる事が主であった。
【００９８】
しかし本発明は、現在用いられている照明器具の笠自体への施工により、照明効果を高める事、色彩を伴う目にやさしい光を提供する事が可能となり、また窓ガラスでの効果で述べたのと同様に、日々の手入れは塗れ雑巾等で簡単になる事等から、非常に実用性を高めるものである。
【００９９】
更に、本発明２の具体例である障子の場合の具体的な効果について述べる。
【０１００】
本来、障子紙を張った障子は、非常に和室の雰囲気を出すインテリアにもなるが、障子紙は痛み易く、子供が指を入れただけで破れ、また拭き掃除も出来ない為、掃除機の先で枠の一つづつを掃除するという手間がかかり、毎年障子紙は張り直す必要があった。
【０１０１】
しかし、本発明２の色彩装飾具を用いた場合、非常に強く破れ難く、張り直す必要がなく、また拭き掃除も簡単に出来る為、日々のお手入れから年単位のお手入れまでが簡単になり、非常に実用性に富むものである。
【０１０２】
またガラス障子の場合でも、和室の雰囲気を出すインテリアとして、また痛み易い障子紙の代わりにガラスを用いて実用性を高めたものとして認知されているが、通常はすりガラス等の透明なガラス以外のものを用いる事が多く、廊下等の明かりがうっすらと透けて見えるものの、取りたてて部屋が明るくなるという印象はない。
【０１０３】
ところが本発明２の色彩装飾具を用いた場合、廊下等の明かりが色彩を伴ったやわらかい光となり、またフィルムが室内の光を乱反射させる事で、より室内を明るく、印象的な空間にする。
【０１０４】
次に、本発明３の具体例であるふすまの場合の具体的な効果について述べる。
【０１０５】
本来、ふすまとは、和室の間仕切りとしては非常に一般的な建具であるが、そのバリエーションは少なく、壁に張るクロス紙等と同様に注文をする際には決められた種類の柄やデザインをカタログの中から選択し、それと全く同じものしか手に入らず、大きく目を引く印象的な装飾の施されたものは殆ど無い。また、素材が撥水性のものでない場合が殆どで、水拭きは敬遠され、掃除機等で手入れをする事が殆どであるが、直立する大きなものに掃除機をかけるのは非常に労力のかかる事である。
【０１０６】
しかし本発明３を用いた場合、全く同じ柄のものは一点も無く、その家、部屋の使われ方によって、最も適した色、柄を作る事が可能であり、また色彩装飾具の表面のフィルムが室内の光を乱反射させ、より室内を明るく印象的な空間とし、更にホコリ等が付着した場合でも塗れ雑巾で簡単に拭き取る事が出来、非常に実用性に富むものである。
【０１０７】
更に、本発明３の具体例であるパネルの場合の具体的な効果について述べる。
【０１０８】
本来、芸術性の高い絵画を飾る際は、日々の手入れが大変であり、油絵は乾燥することで塗料が割れ剥がれ落ち、水彩画は湿気によりカビなどの影響を多大に受ける等、その保存・管理が非常に難しく、一般家庭で簡易に飾れるものではなかった。
【０１０９】
ところが本発明３の場合、外部からの紫外線などの光の影響、湿気などの水分の影響、カビなどの菌の影響を防ぐので、煩雑な保存・管理技法を習得する必要がなく、日々の手入れは塗れ布巾等で拭き取るだけで、いつまでも芸術的な色彩を楽しむ事が出来る。
【０１１０】
これら本発明は、全て本発明１の着色手法により彩色を施すものであるが、その手法は自然に色彩が流れ、混ざり合うよう発展させた、従来の描画技法の常識を覆す、画期的な技法である。
【０１１１】
それらの技法によりパネルとして一つの芸術的な鑑賞性の高い作品として飾る事も出来る奥行きのある色彩を既成の日用品、生活空間の中へ色彩装飾具として提供するものである。
【０１１２】
紙や布に施した奥行きのある色彩は、昨今カラーセラピーと呼ばれるような色による精神的安定を与える効果、集中力を高める効果等を含め、尚且つ先に述べたように、日頃の生活空間で触れ、使用する物に様々な実用性を付加し、利便性を高めるものである。
【図面の簡単な説明】
【図１】本発明１の実施図。
【図２】本発明２の実施図。
【図３】本発明３の実施図。
【図４】窓ガラスの実施図。
【図５】照明を明るくする照明器具の実施図。
【図６】色彩を伴った照明をもたらす照明器具の実施図。
【図７】ガラス障子の実施図。
【図８】障子紙用の障子の実施図。
【図９】ふすまの実施図。
【図１０】パネルの実施図。
【符合の説明】
１　筆
２　網
３　毛氈
４　紙又は布
５　着色材
６　紙又は布上で流れる色彩
７　フィルム
８　透光性のある素材
９　裏打ち用の白紙
１０　基材
【図１】
2004076193.tif 000003
【図２】
2004076193.tif 000004
【図３】
2004076193.tif 000005
【図４】
2004076193.tif 000006
【図５】
2004076193.tif 000007
【図６】
2004076193.tif 000008
【図７】
2004076193.tif 000009
【図８】
2004076193.tif 000010
【図９】
2004076193.tif 000011
【図１０】
2004076193.tif 000012